(57)【要約】【課題】嵌合検知用の部材が検知位置へ不用意に移動するのを防止し、部品点数を増やすことなく電線カバーを設ける。【解決手段】雌ハウジング２０には、その電線３２が導出される後端面を覆うように可動カバー４０が取り付けられ、可動カバー４０は、待機位置と検知位置との間で雌ハウジング２０の後端面と略平行に移動する。可動カバー４０には、半嵌合状態では可動カバー４０が待機位置から検知位置へ移動することを規制し、正規嵌合状態では可動カバー４０が待機位置から検知位置へ移動することを許容する嵌合検知部４６が設けられている。【選択図】図７
2008234913.tif 000002
【特許請求の範囲】
【請求項１】
互いに嵌合可能な一対のコネクタハウジングのうちの一方のコネクタハウジングに対し、その電線が導出される後端面を覆うように取り付けられ、待機位置と検知位置との間で前記一方のコネクタハウジングの後端面と略平行に移動可能とされる可動カバーを備えており、
前記可動カバーには、前記一対のコネクタハウジングが半嵌合の状態ではこの可動カバーが前記待機位置から前記検知位置へ移動することを規制し、前記一対のコネクタハウジングが正規嵌合した状態ではこの可動カバーが前記待機位置から前記検知位置へ移動することを許容する嵌合検知部が設けられていることを特徴とするコネクタ。
【請求項２】
前記嵌合検知部には、前記一方のコネクタハウジングに係止することで前記可動カバーを前記待機位置に保持可能な爪片が形成され、
前記一対のコネクタハウジングが正規嵌合した状態では、前記嵌合検知部が前記他方のコネクタハウジングのフード部の先端に押圧されて弾性変位することで、前記爪片が前記一方のコネクタハウジングから解離されるようになっていることを特徴とする請求項１に記載のコネクタ。
【請求項３】
前記可動カバーが前記待機位置にある状態では、前記可動カバーにおける移動方向と略直角な縁部が前記一方のコネクタハウジングの縁部に対して位置ずれした状態となり、
前記可動カバーが前記検知位置に移動した状態では、前記可動カバーの前記縁部が前記一方のコネクタハウジングの前記縁部と揃うようになっていることを特徴とする請求項１または請求項２に記載のコネクタ。
【発明の詳細な説明】
【技術分野】
【０００１】
本発明は、コネクタに関するものである。
【背景技術】
【０００２】
特許文献１には、嵌合検知機能を備えるコネクタが記載されている。このコネクタは、コネクタハウジングにロックアームと検知部材を設け、相手側コネクタとの嵌合過程において半嵌合の状態では、検知部材が弾性撓みしているロックアームとの干渉によって待機位置に保持され、相手側コネクタと正規嵌合した状態では、ロックアームが弾性復帰して検知部材がロックアームの撓み空間内に進入しつつ待機位置から検知位置へ移動させることができるようになっている。
【特許文献１】特開２００４−６３０９０公報
【発明の開示】
【発明が解決しようとする課題】
【０００３】
上記のコネクタでは、検知部材がコネクタハウジングの後端部に設けられ、検知部材を後方から前方へ押すことによって待機位置から検知位置へ移動させるようになっているため、相手側コネクタとの嵌合作業の初期において、作業者が検知部材を検知位置へ押し込んでしまう虞がある。この場合、検知部材がロックアームの撓み空間内に進入するため、ロックアームは弾性撓みすることができず、その結果、相手側コネクタとの嵌合を進めることができなくなる。  
また、コネクタハウジングの後面から導出した電線を屈曲させて側方へ引き出すための手段として、コネクタハウジングの後端部に電線カバーを取り付けるコネクタが知られているが、このような電線カバーを上記従来のコネクタに適用しようとした場合、コネクタハウジングには検知部材と電線カバーという２つの部品を組み付けることになるため、部品点数が多くなるという問題もある。  
本発明の嵌合検知機能を備えたコネクタは、上記のような事情に基づいて完成されたものであって、嵌合検知のための部材が検知位置へ不用意に移動するのを防止するとともに、部品点数を増やすことなく電線カバーを設けることができるようにすることを目的とする。
【課題を解決するための手段】
【０００４】
上記の目的を達成するための手段として、請求項１の発明は、互いに嵌合可能な一対のコネクタハウジングのうちの一方のコネクタハウジングに対し、その電線が導出される後端面を覆うように取り付けられ、待機位置と検知位置との間で前記一方のコネクタハウジングの後端面と略平行に移動可能とされる可動カバーを備えており、前記可動カバーには、前記一対のコネクタハウジングが半嵌合の状態ではこの可動カバーが前記待機位置から前記検知位置へ移動することを規制し、前記一対のコネクタハウジングが正規嵌合した状態ではこの可動カバーが前記待機位置から前記検知位置へ移動することを許容する嵌合検知部が設けられているところに特徴を有する。
【０００５】
請求項２の発明は、請求項１に記載のものにおいて、前記嵌合検知部には、前記一方のコネクタハウジングに係止することで前記可動カバーを前記待機位置に保持可能な爪片が形成され、前記一対のコネクタハウジングが正規嵌合した状態では、前記嵌合検知部が前記他方のコネクタハウジングのフード部の先端に押圧されて弾性変位することで、前記爪片が前記一方のコネクタハウジングから解離されるようになっているところに特徴を有する。
【０００６】
請求項３の発明は、請求項１または請求項２に記載のものにおいて、前記可動カバーが前記待機位置にある状態では、前記可動カバーにおける移動方向と略直角な縁部が前記一方のコネクタハウジングの縁部に対して位置ずれした状態となり、前記可動カバーが前記検知位置に移動した状態では、前記可動カバーの前記縁部が前記一方のコネクタハウジングの前記縁部と揃うようになっているところに特徴を有する。
【発明の効果】
【０００７】
＜請求項１の発明＞
可動カバーが待機位置から検知位置へ移動させることができるか否かに基づいて、一対のコネクタハウジングの嵌合状態を検知することができる。このときの可動カバーの移動方向は、一方のコネクタハウジングの後端面と略平行な方向、即ち他方のコネクタハウジングとの嵌合方向と略直角な方向なので、一対のコネクタハウジングの嵌合作業の初期において、作業者が可動カバーを検知位置へ移動させてしまう虞がない。  
また、可動カバーは、一方のコネクタハウジングの後端面を覆うような形態なので、一方のコネクタハウジングの後端面から導出された電線を略直角に屈曲させることができ、電線カバーとしての機能を有する。即ち、可動カバーは、一対のコネクタハウジングの嵌合状態を検知するための嵌合検知手段としての機能に加え、電線を曲げて配索するための電線カバーとしての機能も兼ね備えているので、専用の電線カバーを設けるものに比べて、部品点数が少なくて済む。
【０００８】
＜請求項２の発明＞
一対のコネクタハウジングを嵌合する前は、爪片が一方のコネクタハウジングに係止することで、可動カバーが待機位置に保持される。両コネクタハウジングの嵌合が進んで正規嵌合状態に至ると、フード部の先端が嵌合検知部を押して爪片を一方のコネクタハウジングから解離させるので、可動カバーを検知位置へ移動させることが許容される。  
本発明では、爪片を一方のコネクタハウジングから解離させる手段として、フード部の先端を利用したので、フード部には解離のための専用形態の部位を特に形成する必要がなく、フード部の形状を簡素化することができる。
【０００９】
＜請求項３の発明＞
可動カバーが待機位置と検知位置のいずれの位置にあるかは、可動カバーの縁部と一方のコネクタハウジングの縁部との位置関係に基づいて判別できるので、正規嵌合した後に可動カバーを検知位置へ移動させる作業を行ったか否かを視覚的に検知することができる。
【発明を実施するための最良の形態】
【００１０】
＜実施形態１＞
以下、本発明を具体化した実施形態１を図１乃至図１３を参照して説明する。本実施形態のコネクタは、互いに嵌合可能な雄ハウジング１０（本発明の構成要件である他方のコネクタハウジング）と雌ハウジング２０（本発明の構成要件である一方のコネクタハウジング）とから構成される。  
雄ハウジング１０は、合成樹脂製であり、後面壁１１と、後面壁１１の外周から前方へ角筒状のフード部１２を突出させた形態であり、後面壁１１には周知形態の雄端子金具（図示せず）が貫通されている。フード部１２の上面壁には、その外面（上面）から突出するロック突起１４が形成されている。また、フード部１２の上面壁の前端縁（先端）には、浅く切欠した形態の逃がし部１５が形成されている。
【００１１】
雌ハウジング２０は、合成樹脂製であり、フード部１２内に嵌入される端子収容部２１と、端子収容部２１の上面及び左右両側面を覆うルーフ部２２とを一体形成したものである。端子収容部２１の上面における幅方向中央位置には、ルーフ部２２で覆われるようにロックアーム２３が形成されている。ロックアーム２３は、左右一対の脚部２４Ｌ，２４Ｒから前後両方へ板部２５Ｆ，２５Ｒを延出させたシーソー状をなしており、両脚部２４Ｌ，２４Ｒは、端子収容部２１の前後方向における中央よりも少し後方の位置から立ち上がっている。かかるロックアーム２３は、両脚部２４Ｌ，２４Ｒを支点として前側の板部２５Ｆを上方へ変位させるようにロック解除姿勢へ弾性撓みし得るようになっており、前側の板部２５Ｆにはロック孔２６が形成されている。また、後側の板部２５Ｒと端子収容部２１の上面後端部との間の空間は、ロックアーム２３のロック解除姿勢への弾性撓みを許容するための撓み空間２７となっている。端子収容部２１の上面後端部におけるロックアーム２３よりも少し左方の位置には、突起状の第１係止部２８が形成されている。また、左側の脚部２４Ｌには、後方へ突出する第２係止部２９が形成されている。この第１係止部２８と第２係止部２９は、左右に並ぶように配置されている。
【００１２】
端子収容部２１における概ね下半分の領域には、上下左右に整列配置された複数のキャビティ３０が形成され。各キャビティ３０内には雌端子金具３１が収容されている（図８、９を参照）。各雌端子金具３１の後端部には電線３２が接続され、複数の雌端子金具３１に接続された電線３２は、端子収容部２１（雌ハウジング２０）の後端面から後方へ（後端面と略直角な方向へ）束状となって導出されている。また、端子収容部２１の後端面のうちキャビティ３０が形成されている領域には、端子収容部２１の左右両側面に開口する凹部３３が形成されており、導出された電線３２の束は、この凹部３３内において後述する可動カバー４０により側方へ略直角に屈曲されている。
【００１３】
端子収容部２１の概ね上半分の領域には、前後方向に貫通する３つのガイド孔３４が形成されている。各ガイド孔３４の開口形状は、横長の方形をなしている。また、端子収容部２１の後端面には、その下端縁に沿って後方へ突出する形態のガイド板３５が形成されている。ガイド板３５の下面における左右両端部には、保持突起３６が形成されている。
【００１４】
上記の雌ハウジング２０の後端部には、雌ハウジング２０とは別体であって、合成樹脂製の単一部品である可動カバー４０が組み付けられている。可動カバー４０は、雌ハウジング２０の後端面と略平行（即ち、両ハウジング１０，２０の嵌合方向と直角）をなす平板状の覆い部４１を有する。覆い部４１は、概ね横長の長方形をなし、その幅寸法は、雌ハウジング２０の幅寸法と同じ寸法とされている。
【００１５】
覆い部４１には、その前面（雌ハウジング２０の後端面と対向する面）から前方へ突出する３つのガイド部４２が、左右に並んでガイド孔３４と対応するように形成されている。ガイド部４２の高さ寸法はガイド孔３４の高さと同じであり、ガイド部４２の幅寸法はガイド孔３４の幅よりも小さい。また、覆い部４１には、その下端縁から全幅に亘って前方へ延出する形態の摺動板４３が形成されている。摺動板４３の左右両端部には、夫々、第１保持孔４４と第１保持孔４４の左方に隣接する第２保持孔４５とが上下に貫通して形成されている。
【００１６】
覆い部４１には、その上端縁における左端部から全体として前方へ突出する形態の嵌合検知部４６が形成されている。嵌合検知部４６は、覆い部４１から前方へ直角に延出するアーム部４７と、アーム部４７の延出端から右方へ直角に延出する撓み片４８と、撓み片４８の延出端から後方へ延出する規制片４９と、撓み片４８の延出端から前方へ突出する爪片５０と、撓み片４８における延出端（規制片４９及び爪片５０）よりも基端側（左側）の位置から前方へ突出する係止片５１とから構成されている。この嵌合検知部４６は、アーム部４７の延出端を略支点として、撓み片４８を後方へ斜めに変位させるように弾性変形し得るようになっている。撓み片４８が変位するとき、規制片４９と爪片５０と係止片５１は、撓み片４８と一体となって後方へ変位する。
【００１７】
かかる可動カバー４０は、雌ハウジング２０の後端部に組み付けられ、摺動板４３をガイド板３５の下面に沿わせるとともに、嵌合検知部４６を端子収容部２１の上面とルーフ部２２の下面との隙間に嵌入させた状態、即ち摺動板４３と嵌合検知部４６とによって端子収容部２１を上下から挟む状態となる。このとき、第１保持孔４４を保持突起３６に嵌入させることによるセミロック手段（図８を参照）と、第１係止部２８を係止片５１と爪片５０とで左右から挟むことによるセミロック手段（図４を参照）と、爪片５０が第２係止部２９に係止することによるストッパ（ロック）手段（図８を参照）とにより、可動カバー４０が待機位置に保持される。ストッパ手段は可動カバー４０の移動を完全に規制するが、セミロック手段は、可動カバー４０に対して所定の外力を付与すると解除される。また、覆い部４１の左側縁部が端子収容部２１の左側縁部より左方へずれた位置にあるとともに、覆い部４１の右側縁部が端子収容部２１の右側縁部よりも左方へずれた位置にある（図３を参照）。
【００１８】
可動カバー４０が待機位置に保持されている状態では、規制片４９を含む嵌合検知部４６が撓み空間２７に対して左方へ外れた位置にある（図４を参照）ので、ロックアーム２３のロック解除姿勢への弾性撓みが許容されている。また、３つのガイド部４２が、夫々、対応するガイド孔３４に対して上下方向への相対変位を規制された状態で嵌入する（図８を参照）ことにより、雌ハウジング２０に対する可動カバー４０の上下方向への変位及び上下方向への傾きが規制されている。さらに、雌ハウジング２０の後端面から導出された電線３２の束は、可動カバー４０の覆い部４１で押されることにより、凹部３３内で略直角に屈曲され、左右いずれかに転向させられて、雌ハウジング２０と可動カバー４０とで囲まれた空間の外部へ導出されている。
【００１９】
次に、本実施形態の作用を説明する。  
雄ハウジング１０と雌ハウジング２０を嵌合する際には、上記のように可動カバー４０を待機位置に保持した状態で、フード部１２内に端子収容部２１を嵌入させていく。嵌合が進むと、ロックアーム２３の前端がロック突起１４に当接し、その後、ロックアーム２３が弾性撓みしつつロック突起１４に乗り上がってロック解除姿勢となる。この時点で、両ハウジング１０，２０は半嵌合状態である（図４を参照）。また、このとき、フード部１２の前端は係止片５１まで到達していないため、嵌合検知部４６は弾性撓みしない。
【００２０】
そして、両ハウジング１０，２０が正規の嵌合状態に至ると、ロックアーム２３がロック姿勢へ弾性復帰して、ロック孔２６がロック突起１４に嵌合し、両ハウジング１０，２０が離脱規制状態にロックされる。また、正規嵌合に至るのに伴い、フード部１２の前端が係止片５１の延出端に当接して嵌合検知部４６を後方へ押し動かして弾性変位させる（図５を参照）。嵌合検知部４６の弾性変位に伴い、爪片５０が第２係止部２９から解離するので、爪片５０のストッパ機能によるロックが解除される。これにより、可動カバー４０を待機位置に保持する手段は、第１保持孔４４と保持突起３６との係止によるセミロック手段と、第１係止部２８と係止片５１との係止によるセミロック手段だけとなる。
【００２１】
このように両ハウジング１０，２０が正規嵌合した後は、可動カバー４０に対して上記２つのセミロック手段の係止力を上回る右方への押圧力を付与し、可動カバー４０を検知位置へ移動させる。可動カバー４０が移動する際には、係止片５１が上方へ弾性変位しつつ第１係止部２８を乗り越えることによってセミロックが解除される（図６を参照）と同時に、摺動板４３が下方へ弾性変位しつつ保持突起３６から解離することによってセミロックが解除される。
【００２２】
そして、可動カバー４０が検知位置へ移動すると、係止片５１の延出端がフード部１２の逃がし部１５に嵌入することによって嵌合検知部４６が前方へ弾性復帰し、爪片５０が第２係止部２９に対して右方から係止する（図７を参照）。この係止作用により、可動カバー４０は、待機位置への復動を規制された状態にロックされる。また、係止片５１の延出端と逃がし部１５との係止及び係止片５１と第１係止部２８との係止によっても、可動カバー４０は移動規制状態にロックされる。さらに、第２保持孔４５が保持突起３６に係止することによっても、可動カバー４０は移動を規制される（図９を参照）。また、可動カバー４０が検知位置に移動すると、規制片４９がロックアーム２３の撓み空間２７内に進入して後外周の板部２５Ｒの下に潜り込むので、ロックアーム２３のロック解除姿勢への弾性撓み、即ちロック孔２６がロック突起１４から解離することが規制される。つまり、両ハウジング１０，２０は、ロックアーム２３とロック突起１４との係止作用と、規制片４９によるロックアーム２３の撓み規制作用とにより、確実に正規嵌合状態にロックされる。
【００２３】
なお、可動カバー４０が検知位置へ移動するときには、電線３２の束を屈曲させている覆い部４１は、その電線３２に接触している板面（前面）とその板面方向と平行に少しスライドするだけなので、電線３２の束の配索形態を大きく変化させることはない。また、可動カバー４０が移動する際には、ガイド部４２がガイド孔３４内を摺動することによって、雌ハウジング２０に対する覆い部４１の上下移動が規制されるので、ガイド板３５に対する摺動板４３の下方への相対変位動作が正しく行われる。さらに、可動カバー４０が検知位置へ移動した状態では、可動カバー４０の覆い部４１の左右両側縁部が、雌ハウジング２０の左右両側縁部と揃うように位置する（図２を参照）。
【００２４】
さて、両ハウジング１０，２０が半嵌合の状態のままで、作業者が嵌合作業を終えてしまった場合には、フード部１２の前端が係止片５１に到達しない（図４を参照）ので、可動カバー４０は待機位置にロックされたままとなり、通常の力では可動カバー４０を検知位置へ移動させることはできない。仮に、通常よりも大きな力を付与して可動カバー４０を無理に移動させようとしても、ロックアーム２３がロック解除姿勢のままであって後側の板部２５Ｒが撓み空間２７内に進入した状態となっているので、この後側の板部２５Ｒに対して規制片４９の基端部（撓み片４８の延出端）が突き当たるので、可動カバー４０の移動は阻止される。つまり、半嵌合の状態では可動カバー４０を検知位置へ移動させることはできない。
【００２５】
上述のように本実施形態においては、雌ハウジング２０に対し、その電線３２が導出される後端面を覆う形態であって、待機位置と検知位置との間で雌ハウジング２０の後端面と略平行に移動可能とされた可動カバー４０を取り付け、さらに、可動カバー４０には、両ハウジング１０，２０が半嵌合の状態では可動カバー４０が待機位置から検知位置へ移動することを規制し、両ハウジング１０，２０が正規嵌合した状態では可動カバー４０が待機位置から検知位置へ移動することを許容する嵌合検知部４６を形成した。
【００２６】
これにより、可動カバー４０が待機位置から検知位置へ移動させることができるか否かに基づいて、両ハウジング１０，２０の嵌合状態を検知することができる。このときの可動カバー４０の移動方向は、雌ハウジング２０の後端面と略平行な方向、即ち雄ハウジング１０との嵌合方向と略直角な方向なので、両ハウジング１０，２０の嵌合作業の初期において、作業者が可動カバー４０を検知位置へ移動させてしまう虞がない。
【００２７】
また、可動カバー４０は、雌ハウジング２０の後端面を覆うような形態なので、雌ハウジング２０の後端面から導出された電線３２を略直角に屈曲させることができ、電線カバーとしての機能を有する。即ち、可動カバー４０は、両ハウジング１０，２０の嵌合状態を検知するための嵌合検知手段としての機能に加え、電線３２を曲げて配索するための電線カバーとしての機能も兼ね備えているので、専用の電線カバーを設けるものに比べて、部品点数が少なくて済んでいる。
【００２８】
また、両ハウジング１０，２０を嵌合する前は、爪片５０が雌ハウジング２０に係止することで、可動カバー４０が待機位置に保持され、両ハウジング１０，２０の嵌合が進んで正規嵌合状態に至ると、フード部１２の先端が嵌合検知部４６を押して爪片５０を雌ハウジング２０から解離させるので、可動カバー４０を検知位置へ移動させることが許容されるようになっている。つまり、本実施形態では、爪片５０を雌ハウジング２０から解離させる手段として、フード部１２の先端を利用したので、フード部１２には解離のための専用形態の部位を特に形成する必要がなく、フード部１２の先端部の形状が簡素化されている。
【００２９】
また、可動カバー４０が待機位置にある状態では、可動カバー４０における移動方向と略直角な左右両側縁部が雌ハウジング２０の左右両側縁部に対して左方へ位置ずれした状態（図３を参照）となり、可動カバー４０が検知位置に移動した状態では、図２に示すように、可動カバー４０の左右両側縁部が雌ハウジング２０の左右両側縁部と揃うように（後方から見て合致するように）なっている。このように本実施形態によれば、可動カバー４０が待機位置と検知位置のいずれの位置にあるかは、可動カバー４０の側縁部と雌ハウジング２０の側縁部との位置関係に基づいて判別できるので、正規嵌合した後に可動カバー４０を検知位置へ移動させる作業を行ったか否かを検知することができる。
【００３０】
＜他の実施形態＞
本発明は上記記述及び図面によって説明した実施形態に限定されるものではなく、例えば次のような実施態様も本発明の技術的範囲に含まれる。  
（１）上記実施形態では可動カバーをフード部を有しない雌ハウジングに設けたが、本発明によれば、可動カバーを雄ハウジングに設けてもよい。  
（２）上記実施形態では係止片をフード部の先端で押すようにしたが、本発明によれば、フード部に係止片を押圧するための専用形態の押圧部を形成してもよい。
【図面の簡単な説明】
【００３１】
【図１】実施形態１において両ハウジングが正規嵌合して可動カバーが検知位置へ移動した状態をあらわす斜視図
【図２】可動カバーが検知位置に移動した状態をあらわす背面図
【図３】可動カバーが待機配置にある状態をあらわす背面図
【図４】両ハウジングが半嵌合の状態をあらわす水平断面図
【図５】両ハウジングが正規嵌合した状態をあらわす水平断面図
【図６】両ハウジングが正規嵌合して可動カバーを待機位置から検知位置へ移動させている途中の状態をあらわす水平断面図
【図７】可動カバーが検知位置へ移動した状態をあらわす水平断面図
【図８】可動カバーが待機位置にある状態をあらわす横断面図
【図９】可動カバーが検知位置に移動した状態をあらわす横断面図
【図１０】雌ハウジングの斜視図
【図１１】雌ハウジングの背面図
【図１２】可動カバーの斜視図
【図１３】雄ハウジングの斜視図
【符号の説明】
【００３２】
１０…雄ハウジング（他方のコネクタハウジング）
１２…フード部
２０…雌ハウジング（一方のコネクタハウジング）
４０…可動カバー
４６…嵌合検知部
５０…爪片
【図１】
2008234913.tif 000003
【図２】
2008234913.tif 000004
【図３】
2008234913.tif 000005
【図４】
2008234913.tif 000006
【図５】
2008234913.tif 000007
【図６】
2008234913.tif 000008
【図７】
2008234913.tif 000009
【図８】
2008234913.tif 000010
【図９】
2008234913.tif 000011
【図１０】
2008234913.tif 000012
【図１１】
2008234913.tif 000013
【図１２】
2008234913.tif 000014
【図１３】
2008234913.tif 000015